(57)【要約】    【課題】  撮影装置の画像再生時おいて、再生画像を見易くすることができる画像再生装置及びその制御方法、並びにそのプログラム及び記憶媒体を提供することにある。    【解決手段】  デジタルカメラ本体１００は、モードダイヤル４２によって再生モードに切り替えられると、画像表示部２６は、３×３に格子状に配列されたサムネイル画像を表示する。再生画像の選択は、操作部４７に設けられた[+]ボタン、[-]ボタンを使用して、選択枠４０２を移動し、再生すべき画像を設定し、この状態で、[ＳＥＴ]ボタンを押して決定することにより行う。選択された再生画像が動画像であるときは、動画像の記録時間を判別し、この判別された動画像の記録時間に応じて再生回数Ｎを決定し、次いで、動画像を決定された再生回数Ｎ分再生する。【選択図】    図３
2006074476.tif 000002
【特許請求の範囲】
【請求項１】
記録媒体に記録された画像情報を再生する再生手段と、前記記録媒体に記録されている複数の画像情報より前記再生手段により再生すべき任意の画像情報を選択する選択手段と、前記選択された画像情報の状態を判別する判別手段と、前記判別手段の判別結果に応じて前記選択された画像情報の再生手順を設定する設定手段とを備えることを特徴とする画像再生装置。
【請求項２】
前記画像情報は、連続した複数のフレームから成る動画像情報を含み、前記判別手段は、前記選択された動画像情報の記録時間長を判別する記録時間長判別手段を有し、前記設定手段は、前記記録時間長判別手段により判別された記録時間長に応じて前記選択された動画像情報の再生回数を設定することを特徴とする請求項１に記載の画像再生装置。
【請求項３】
前記設定手段は、前記選択された動画像情報の記録時間長が短いほど再生回数を多く設定することを特徴とする請求項２に記載の画像再生装置。
【請求項４】
前記画像情報は、連続した複数のフレームから成る動画像情報を含み、前記判別手段は、前記選択された動画像情報の画面解像度を判別する解像度判別手段を有し、前記設定手段は、前記解像度判別手段により判別された画面解像度に応じて前記選択された動画像情報の再生回数を設定することを特徴とする請求項１に記載の画像再生装置。
【請求項５】
前記設定手段は、前記選択された動画像情報の画面解像度が高いほど再生回数を多く設定することを特徴とする請求項４に記載の画像再生装置。
【請求項６】
前記画像情報は、連続した複数のフレームから成る動画像情報を含み、前記判別手段は、前記選択された画像情報の撮影日時を判別する撮影日時判別手段を有し、前記設定手段は、前記撮影日時判別手段により判別された撮影日時に応じて前記選択された動画像情報の再生回数を設定することを特徴とする請求項１に記載の画像再生装置。
【請求項７】
前記設定手段は、前記選択された動画像情報の撮影日時が新しいほど再生回数を多く設定することを特徴とする請求項６に記載の画像再生装置。
【請求項８】
記録媒体に記録された画像情報を再生する再生手段と、前記記録媒体に記録された複数の画像情報を指定された順番で自動再生するよう前記再生手段を制御する制御手段と、前記画像情報の状態を判別する判別手段と、前記判別手段の判別結果に応じて前記再生手段による各画像情報の再生時間長を設定する設定手段とを備えることを特徴とする画像再生装置。
【請求項９】
前記判別手段は、前記画像情報の撮影画角を判別する撮影画角判別手段を有し、前記設定手段は、前記判別された撮影画角に応じて前記再生手段による各画像情報の再生時間長を設定することを特徴とする請求項８に記載の画像再生装置。
【請求項１０】
前記設定手段は、前記撮影画角が広角であるほど再生時間長を長く設定することを特徴とする請求項９に記載の画像再生装置。
【請求項１１】
前記判別手段は、前記画像情報の画面像解像度を判別する解像度判別手段を有し、前記設定手段は、前記判別された画面解像度に応じて前記再生手段による各画像情報の再生時間長を設定することを特徴とする請求項８に記載の画像再生装置。
【請求項１２】
前記設定手段は、前記画像情報の画面解像度が高いほど再生時間長を長く設定することを特徴とする請求項１１に記載の画像再生装置。
【請求項１３】
前記判別手段は、前記画像情報の撮影日時を判別する撮影日時判別手段を有し、前記設定手段は、前記判別された撮影日時に応じて前記再生手段による各画像情報の再生時間長を設定することを特徴とする請求項８に記載の画像再生装置。
【請求項１４】
前記設定手段は、前記撮影日時が新しいほど再生時間長を長く設定することを特徴とする請求項１３に記載の画像再生装置。
【請求項１５】
前記判別手段は、前記画像情報の輝度分布状態を判別する輝度分布判別手段を有し、前記設定手段は、前記判別された輝度分布の状態に応じて前記再生手段による各画像情報の再生時間長を設定することを特徴とする請求項８に記載の画像再生装置。
【請求項１６】
前記設定手段は、前記画像情報の輝度分布の変化量が大きいほど再生時間長を長く設定することを特徴とする請求項１５に記載の画像再生装置。
【請求項１７】
前記判別手段は、前記画像情報の情報量を判別する画像情報量判別手段を有し、前記設定手段は、前記判別された情報量に応じて前記前記再生手段による各画像情報の再生時間長を設定することを特徴とする請求項８に記載の画像再生装置。
【請求項１８】
前記設定手段は、前記画像情報の情報量が多いほど再生時間長を長く設定することを特徴とする請求項１７に記載の画像再生装置。
【請求項１９】
記録媒体に記録された画像情報を再生する再生ステップと、前記記録媒体に記録されている複数の画像情報より前記再生ステップにより再生すべき任意の画像情報を選択する選択ステップと、前記選択された画像情報の状態を判別する判別ステップと、前記判別ステップの判別結果に応じて前記選択された画像情報の再生手順を設定する設定ステップとを備えることを特徴とする画像再生方法。
【請求項２０】
前記画像情報は、連続した複数のフレームから成る動画像情報を含み、前記判別ステップは、前記選択された動画像情報の記録時間長を判別する記録時間長判別ステップを有し、前記設定ステップは、前記記録時間長判別ステップで判別された記録時間長に応じて前記選択された動画像情報の再生回数を設定することを特徴とする請求項１９に記載の画像再生方法。
【請求項２１】
前記設定ステップは、前記選択された動画像情報の記録時間長が短いほど再生回数を多く設定することを特徴とする請求項２０に記載の画像再生方法。
【請求項２２】
前記画像情報は、連続した複数のフレームから成る動画像情報を含み、前記判別ステップは、前記選択された動画像情報の画面解像度を判別する解像度判別ステップを有し、前記設定ステップは、前記解像度判別ステップで判別された画面解像度に応じて前記選択された動画像情報の再生回数を設定することを特徴とする請求項１９に記載の画像再生方法。
【請求項２３】
前記設定ステップは、前記選択された動画像情報の画面解像度が高いほど再生回数を多く設定することを特徴とする請求項２２に記載の画像再生方法。
【請求項２４】
前記画像情報は、連続した複数のフレームから成る動画像情報を含み、前記判別ステップは、前記選択された画像情報の撮影日時を判別する撮影日時判別ステップを有し、前記設定ステップは、前記撮影日時判別ステップにより判別された撮影日時に応じて前記選択された動画像情報の再生回数を設定することを特徴とする請求項１９に記載の画像再生方法。
【請求項２５】
前記設定ステップは、前記選択された動画像情報の撮影日時が新しいほど再生回数を多く設定することを特徴とする請求項２４に記載の画像再生方法。
【請求項２６】
記録媒体に記録された画像情報を再生する再生ステップと、前記記録媒体に記録された複数の画像情報を指定された順番で自動再生するよう前記再生手段を制御する制御ステップと、前記画像情報の状態を判別する判別ステップと、前記判別ステップの判別結果に応じて前記再生ステップによる各画像情報の再生時間長を設定する設定ステップとを備えることを特徴とする画像再生方法。
【請求項２７】
前記判別ステップは、前記画像情報の撮影画角を判別する撮影画角判別ステップを有し、前記設定ステップは、前記判別された撮影画角に応じて前記再生ステップおける各画像情報の再生時間長を設定することを特徴とする請求項２６に記載の画像再生方法。
【請求項２８】
前記設定ステップは、前記撮影画角が広角であるほど再生時間長を長く設定することを特徴とする請求項２７に記載の画像再生方法。
【請求項２９】
前記判別ステップは、前記画像情報の画面像解像度を判別する解像度判別ステップを有し、前記設定ステップは、前記判別された画面解像度に応じて前記再生ステップにおける各画像情報の再生時間長を設定することを特徴とする請求項２６に記載の画像再生方法。
【請求項３０】
前記設定ステップは、前記画像情報の画面解像度が高いほど再生時間長を長く設定することを特徴とする請求項２９に記載の画像再生方法。
【請求項３１】
前記判別ステップは、前記画像情報の撮影日時を判別する撮影日時判別ステップを有し、前記設定ステップは、前記判別された撮影日時に応じて前記再生ステップにおける各画像情報の再生時間長を設定することを特徴とする請求項２６に記載の画像再生方法。
【請求項３２】
前記設定ステップは、前記撮影日時が新しいほど再生時間長を長く設定することを特徴とする請求項３１に記載の画像再生方法。
【請求項３３】
前記判別ステップは、前記画像情報の輝度分布状態を判別する輝度分布判別ステップを有し、前記設定ステップは、前記判別された輝度分布の状態に応じて前記再生ステップにおける各画像情報の再生時間長を設定することを特徴とする請求項２６に記載の画像再生方法。
【請求項３４】
前記設定ステップは、前記画像情報の輝度分布の変化量が大きいほど再生時間長を長く設定することを特徴とする請求項３３に記載の画像再生方法。
【請求項３５】
前記判別ステップは、前記画像情報の情報量を判別する画像情報量判別ステップを有し、前記設定ステップは、前記判別された情報量に応じて前記前記再生ステップにおける各画像情報の再生時間長を設定することを特徴とする請求項２６に記載の画像再生方法。
【請求項３６】
前記設定ステップは、前記画像情報の情報量が多いほど再生時間長を長く設定することを特徴とする請求項３５に記載の画像再生方法。
【請求項３７】
記録媒体に記録された画像情報を再生する再生モジュールと、前記記録媒体に記録されている複数の画像情報より前記再生モジュールにより再生すべき任意の画像情報を選択する選択モジュールと、前記選択された画像情報の状態を判別する判別モジュールと、前記判別モジュールの判別結果に応じて前記選択された画像情報の再生手順を設定する設定モジュールとをコンピュータに実行させることを特徴とする画像再生プログラム。
【請求項３８】
記録媒体に記録された画像情報を再生する再生モジュールと、前記記録媒体に記録された複数の画像情報を指定された順番で自動再生するよう前記再生手段を制御する制御モジュールと、前記画像情報の状態を判別する判別モジュールと、前記判別モジュールの判別結果に応じて前記再生モジュールによる各画像情報の再生時間長を設定する設定モジュールとをコンピュータに実行させることを特徴とする画像再生プログラム。
【請求項３９】
請求項３７記載のプログラムを格納することを特徴とするコンピュータ読取り可能な記憶媒体。
【請求項４０】
請求項３８記載のプログラムを格納することを特徴とするコンピュータ読取り可能な記憶媒体。
【発明の詳細な説明】
【技術分野】
【０００１】
本発明は、画像再生装置及び方法、並びにプログラム及び記憶媒体に関する。
【背景技術】
【０００２】
従来、固体メモリ素子を有するメモリカードを記録媒体として静止画像情報や動画像情報を記録再生するデジタルカメラ等の画像処理装置は既に市販されており、カラー液晶パネル等の表示手段を備えるデジタルカメラも販売されている。これらのデジタルカメラは、撮影前に画像を連続してカラー液晶パネル等の表示装置に表示してデジタルカメラの使用者が構図を決定したり、撮影した静止画像情報や動画像情報を再生表示して確認することができる。
【０００３】
デジタルカメラには、撮影機能以外にも様々な機能を持ったものがあるが、特に再生表示機能は利便性が高く、デジタルカメラの使用者にとって有益な機能となっている。この再生機能としては、撮影した画像をカラー液晶パネルを用いて一定時間毎に自動的に再生する自動再生技術、いわゆるスライドショー機能が提案されている（例えば、特許文献１参照）。
【特許文献１】特開平１１−３３１７３９号公報
【発明の開示】
【発明が解決しようとする課題】
【０００４】
しかしながら、従来、再生すべき画像情報が静止画又は動画に関わらず表示方法が同じであった。例えば、動画像情報を表示する場合、記録時間の短い動画であっても、記録時間の長い動画であっても再生は１回のみであり、特に記録時間の短い動画再生の場合、再生時間が短いために１回のみの再生では画像情報の内容を見逃してしまう場合があった。
【０００５】
また、従来のスライドショー機能の場合、再生画像によらず一定時間毎に次々に表示画像が切り替わってしまう。
【０００６】
このスライドショー機能は、ユーザーが、再生画像によっては、じっくり見たかったり、流して見たかったりするということを考慮すれば、ユーザーが流して見たい画像やじっくり見たい画像をデジタルカメラ本体が自動的に判別して、再生画像によって再生時間を変更するスライドショーを実行できれば理想的であると言える。
【０００７】
本発明の目的は、画像再生時おいて、再生画像を見易くすることができる画像再生装置及び方法、並びにプログラム及び記憶媒体を提供することにある。
【課題を解決するための手段】
【０００８】
上記の目的を達成するために、請求項１記載の画像再生装置は、記録媒体に記録された画像情報を再生する再生手段と、前記記録媒体に記録されている複数の画像情報より前記再生手段により再生すべき任意の画像情報を選択する選択手段と、前記選択された画像情報の状態を判別する判別手段と、前記判別手段の判別結果に応じて前記選択された画像情報の再生手順を設定する設定手段とを備えることを特徴とする。
【０００９】
請求項２記載の画像再生装置は、請求項１記載の画像再生装置において、前記画像情報は、連続した複数のフレームから成る動画像情報を含み、前記判別手段は、前記選択された動画像情報の記録時間長を判別する記録時間長判別手段を有し、前記設定手段は、前記記録時間長判別手段により判別された記録時間長に応じて前記選択された動画像情報の再生回数を設定することを特徴とする。
【００１０】
請求項３記載の画像再生装置は、請求項２記載の画像再生装置において、前記設定手段は、前記選択された動画像情報の記録時間長が短いほど再生回数を多く設定することを特徴とする。
【００１１】
請求項４記載の画像再生装置は、請求項１記載の画像再生装置において、前記画像情報は、連続した複数のフレームから成る動画像情報を含み、前記判別手段は、前記選択された動画像情報の画面解像度を判別する解像度判別手段を有し、前記設定手段は、前記解像度判別手段により判別された画面解像度に応じて前記選択された動画像情報の再生回数を設定することを特徴とする。
【００１２】
請求項５記載の画像再生装置は、請求項４記載の画像再生装置において、前記設定手段は、前記選択された動画像情報の画面解像度が高いほど再生回数を多く設定することを特徴とする。
【００１３】
請求項６記載の画像再生装置は、請求項１記載の画像再生装置において、前記画像情報は、連続した複数のフレームから成る動画像情報を含み、前記判別手段は、前記選択された画像情報の撮影日時を判別する撮影日時判別手段を有し、前記設定手段は、前記撮影日時判別手段により判別された撮影日時に応じて前記選択された動画像情報の再生回数を設定することを特徴とする。
【００１４】
請求項７記載の画像再生装置は、請求項６記載の画像再生装置において、前記設定手段は、前記選択された動画像情報の撮影日時が新しいほど再生回数を多く設定することを特徴とする。
【００１５】
請求項８記載の画像再生装置は、画像を記録する記録手段と、記録媒体に記録された画像情報を再生する再生手段と、前記記録媒体に記録された複数の画像情報を指定された順番で自動再生するよう前記再生手段を制御する制御手段と、前記画像情報の状態を判別する判別手段と、前記判別手段の判別結果に応じて前記再生手段による各画像情報の再生時間長を設定する設定手段とを備えることを特徴とする。
【００１６】
請求項９記載の画像再生装置は、請求項８記載の画像再生装置において、前記判別手段は、前記画像情報の撮影画角を判別する撮影画角判別手段を有し、前記設定手段は、前記判別された撮影画角に応じて前記再生手段による各画像情報の再生時間長を設定することを特徴とする。
【００１７】
請求項１０記載の画像再生装置は、請求項９記載の画像再生装置において、前記設定手段は、前記撮影画角が広角であるほど再生時間長を長く設定することを特徴とする。
【００１８】
請求項１１記載の画像再生装置は、請求項８記載の画像再生装置において、前記判別手段は、前記画像情報の画面像解像度を判別する解像度判別手段を有し、前記設定手段は、前記判別された画面解像度に応じて前記再生手段による各画像情報の再生時間長を設定することを特徴とする。
【００１９】
請求項１２記載の画像再生装置は、請求項１１記載の画像再生装置において、前記設定手段は、前記画像情報の画面解像度が高いほど再生時間長を長く設定することを特徴とする。
【００２０】
請求項１３記載の画像再生装置は、請求項８記載の画像再生装置において、前記判別手段は、前記画像情報の撮影日時を判別する撮影日時判別手段を有し、前記設定手段は、前記判別された撮影日時に応じて前記再生手段による各画像情報の再生時間長を設定することを特徴とする。
【００２１】
請求項１４記載の画像再生装置は、請求項１３記載の画像再生装置において、前記設定手段は、前記撮影日時が新しいほど再生時間長を長く設定することを特徴とする。
【００２２】
請求項１５記載の画像再生装置は、請求項８記載の画像再生装置において、前記判別手段は、前記画像情報の輝度分布状態を判別する輝度分布判別手段を有し、前記設定手段は、前記判別された輝度分布の状態に応じて前記再生手段による各画像情報の再生時間長を設定することを特徴とする。
【００２３】
請求項１６記載の画像再生装置は、請求項１５記載の画像再生装置において、前記設定手段は、前記画像情報の輝度分布の変化量が大きいほど再生時間長を長く設定することを特徴とする。
【００２４】
請求項１７記載の画像再生装置は、請求項８記載の画像再生装置において、前記判別手段は、前記画像情報の情報量を判別する画像情報量判別手段を有し、前記設定手段は、前記判別された情報量に応じて前記前記再生手段による各画像情報の再生時間長を設定することを特徴とする。
【００２５】
請求項１８記載の画像再生装置は、請求項１７記載の画像再生装置において、前記設定手段は、前記画像情報の情報量が多いほど再生時間長を長く設定することを特徴とする。
【００２６】
請求項１９記載の画像再生方法は、記録媒体に記録された画像情報を再生する再生ステップと、前記記録媒体に記録されている複数の画像情報より前記再生ステップにより再生すべき任意の画像情報を選択する選択ステップと、前記選択された画像情報の状態を判別する判別ステップと、前記判別ステップの判別結果に応じて前記選択された画像情報の再生手順を設定する設定ステップとを備えることを特徴とする。
【００２７】
請求項２０記載の画像再生方法は、請求項１９記載の画像再生方法において、前記画像情報は、連続した複数のフレームから成る動画像情報を含み、前記判別ステップは、前記選択された動画像情報の記録時間長を判別する記録時間長判別ステップを有し、前記設定ステップは、前記記録時間長判別ステップで判別された記録時間長に応じて前記選択された動画像情報の再生回数を設定することを特徴とする。
【００２８】
請求項２１記載の画像再生方法は、請求項２０記載の画像再生方法において、前記設定ステップは、前記選択された動画像情報の記録時間長が短いほど再生回数を多く設定することを特徴とする。
【００２９】
請求項２２記載の画像再生方法は、請求項１９記載の画像再生方法において、前記画像情報は、連続した複数のフレームから成る動画像情報を含み、前記判別ステップは、前記選択された動画像情報の画面解像度を判別する解像度判別ステップを有し、前記設定ステップは、前記解像度判別ステップにより判別された画面解像度に応じて前記選択された動画像情報の再生回数を設定することを特徴とする。
【００３０】
請求項２３記載の画像再生方法は、請求項２２記載の画像再生方法において、前記設定ステップは、前記選択された動画像情報の画面解像度が高いほど再生回数を多く設定することを特徴とする。
【００３１】
請求項２４記載の画像再生方法は、請求項１９記載の画像再生方法において、前記画像情報は、連続した複数のフレームから成る動画像情報を含み、前記判別ステップは、前記選択された画像情報の撮影日時を判別する撮影日時判別ステップを有し、前記設定ステップは、前記撮影日時判別ステップにより判別された撮影日時に応じて前記選択された動画像情報の再生回数を設定することを特徴とする。
【００３２】
請求項２５記載の画像再生方法は、請求項２４記載の画像再生方法において、前記設定ステップは、前記選択された動画像情報の撮影日時が新しいほど再生回数を多く設定することを特徴とする。
【００３３】
請求項２６記載の画像再生方法は、画像を記録する記録ステップと、記録媒体に記録された画像情報を再生する再生ステップと、前記記録媒体に記録された複数の画像情報を指定された順番で自動再生するよう前記再生手段を制御する制御ステップと、前記画像情報の状態を判別する判別ステップと、前記判別ステップの判別結果に応じて前記再生ステップによる各画像情報の再生時間長を設定する設定ステップとを備えることを特徴とする。
【００３４】
請求項２７記載の画像再生方法は、請求項２６記載の画像再生方法において、前記判別ステップは、前記画像情報の撮影画角を判別する撮影画角判別ステップを有し、前記設定ステップは、前記判別された撮影画角に応じて前記再生ステップにおける各画像情報の再生時間長を設定することを特徴とする。
【００３５】
請求項２８記載の画像再生方法は、請求項２７記載の画像再生方法において、前記設定ステップは、前記撮影画角が広角であるほど再生時間長を長く設定することを特徴とする。
【００３６】
請求項２９記載の画像再生方法は、請求項２６記載の画像再生方法において、前記判別ステップは、前記画像情報の画面像解像度を判別する解像度判別ステップを有し、前記設定ステップは、前記判別された画面解像度に応じて前記再生ステップにおける各画像情報の再生時間長を設定することを特徴とする。
【００３７】
請求項３０記載の画像再生方法は、請求項２９記載の画像再生方法において、前記設定ステップは、前記画像情報の画面解像度が高いほど再生時間長を長く設定することを特徴とする。
【００３８】
請求項３１記載の画像再生方法は、請求項２６記載の画像再生方法において、前記判別ステップは、前記画像情報の撮影日時を判別する撮影日時判別ステップを有し、前記設定ステップは、前記判別された撮影日時に応じて前記再生ステップにおける各画像情報の再生時間長を設定することを特徴とする。
【００３９】
請求項３２記載の画像再生方法は、請求項３１記載の画像再生方法において、前記設定ステップは、前記撮影日時が新しいほど再生時間長を長く設定することを特徴とする。
【００４０】
請求項３３記載の画像再生方法は、請求項２６記載の画像再生方法において、前記判別ステップは、前記画像情報の輝度分布状態を判別する輝度分布判別ステップを有し、前記設定ステップは、前記判別された輝度分布の状態に応じて前記再生ステップにおける各画像情報の再生時間長を設定することを特徴とする。
【００４１】
請求項３４記載の画像再生方法は、請求項３３記載の画像再生方法において、前記設定ステップは、前記画像情報の輝度分布の変化量が大きいほど再生時間長を長く設定することを特徴とする。
【００４２】
請求項３５記載の画像再生方法は、請求項２６記載の画像再生方法において、前記判別ステップは、前記画像情報の情報量を判別する画像情報量判別ステップを有し、前記設定ステップは、前記判別された情報量に応じて前記前記再生ステップにおける各画像情報の再生時間長を設定することを特徴とする。
【００４３】
請求項３６記載の画像再生方法は、請求項３５記載の画像再生方法において、前記設定ステップは、前記画像情報の情報量が多いほど再生時間長を長く設定することを特徴とする。
【００４４】
請求項３７記載の画像再生プログラムは、記録媒体に記録された画像情報を再生する再生モジュールと、前記記録媒体に記録されている複数の画像情報より前記再生モジュールにより再生すべき任意の画像情報を選択する選択モジュールと、前記選択された画像情報の状態を判別する判別モジュールと、前記判別モジュールの判別結果に応じて前記選択された画像情報の再生手順を設定する設定モジュールとをコンピュータに実行させることを特徴とする。
【００４５】
請求項３８記載の画像再生プログラムは、記録媒体に記録された画像情報を再生する再生モジュールと、前記記録媒体に記録された複数の画像情報を指定された順番で自動再生するよう前記再生手段を制御する制御モジュールと、前記画像情報の状態を判別する判別モジュールと、前記判別モジュールの判別結果に応じて前記再生モジュールによる各画像情報の再生時間長を設定する設定モジュールとをコンピュータに実行させることを特徴とする。
【００４６】
請求項３９記載のコンピュータ読取り可能な記憶媒体は、請求項３７記載のプログラムを格納することを特徴とする。
【００４７】
請求項４０記載のコンピュータ読取り可能な記憶媒体は、請求項３８記載のプログラムを格納することを特徴とする。
【発明の効果】
【００４８】
請求項１記載の画像再生装置、請求項１９記載の画像再生方法、請求項３７記載の画像再生プログラム、及び請求項３９記載の記憶媒体によれば、判別された画像情報の状態に応じて画像の再生手順を設定するので、画像再生時において、再生画像を見易くすることができる。
【００４９】
請求項３記載の画像再生装置及び請求項２１記載の画像再生方法によれば、選択された動画像情報の記録時間が短いほど再生回数を多く設定するので、記録時間が短いほど動画像情報を繰り返し見ることができる。
【００５０】
請求項５記載の画像再生装置及び請求項２３記載の画像再生方法によれば、選択された動画像情報の画面解像度が高いほど再生回数を多く設定するので、画面解像度が高い画像情報を繰り返し見ることができる。
【００５１】
請求項７記載の画像再生装置及び請求項２５記載の画像再生方法によれば、選択された動画像情報の撮影日時が新しいほど再生回数を多く設定するので、撮影日時が新しい画像情報を繰り返し見ることができる。
【００５２】
請求項８記載の画像再生装置、請求項２６記載の画像再生方法、請求項３８記載の画像再生プログラム、及び請求項４０記載の記憶媒体によれば、判別された画像情報の状態に応じて再生時の各画像情報の再生時間を設定するので、画像再生時において、再生画像を見易くすることができる。
【００５３】
請求項１０記載の画像再生装置及び請求項２８載の画像再生方法によれば、画像の画像画角が広角であるほど再生時間長を長く設定するので、集合写真等の広角側の画像をじっくりと見ることができる。
【００５４】
請求項１２記載の画像再生装置及び請求項３０記載の画像再生方法によれば、画面解像度が高いほど再生時間長を長く設定するので、撮影画像解像度が高い画像をじっくりと見ることができる。
【００５５】
請求項１４載の画像再生装置及び請求項３２記載の画像再生方法によれば、撮影日時が新しいほど再生時間長を長く設定するので、撮影日時が新しい画像をじっくりと見ることができる。
【００５６】
請求項１６記載の画像再生装置及び請求項３４の画像再生方法によれば、画像の輝度分布の変化量が多きいほど再生時間長を長くするので、画像の輝度分布の変化量が大きい複雑な画像をじっくりと見ることができる。
【００５７】
請求項１８記載の画像再生装置及び請求項３６の画像再生方法によれば、画像情報の情報量が多いほど再生時間を長くするので、画像情報の情報量が多い複雑な画像をじっくりと見ることができる。
【発明を実施するための最良の形態】
【００５８】
以下、本発明の実施の形態を図面を参照しながら詳細に説明する。
【００５９】
本発明は、画像処理装置の形態に限定されるものではなく、画像処理装置の制御方法及びこの制御方法を実現するためのプログラムを格納した記録媒体等の媒体の形態で同様に実施することが出来る。
【００６０】
図１は、本発明の実施の形態に係る画像再生装置の正面側から見た斜視図であり、図２は、図１のデジタルカメラの背面側から見た斜視図である。
【００６１】
図１及び図２において、デジタルカメラは、前面に、撮影レンズ２１、光学ファインダー２７、及びフラッシュ３８を備え、頂面に、シャッターボタン１、モードダイヤルスイッチ４２、及び表示部５０を備え、背面に、画像表示部２６、光学ファインダー２７、操作部４７、及び領域指定レバー４１を備える。
【００６２】
図３は、図１のデジタルカメラの内部構成を概略的に示すブロック図である。
【００６３】
図３において、図１のデジタルカメラは、デジタルカメラ本体１００と、記憶媒体２００と、電源３００とを備える。
【００６４】
デジタルカメラ本体１００は、撮影レンズ２１と、撮影レンズ２１を保護する保護部２０と、絞り機能を備えたシャッター２２と、光学像を電気信号に変換する撮像素子２３と、撮像素子２３に接続されると共に撮像素子２３から出力されたアナログ信号をデジタル信号に変換するＡ／Ｄ変換器２８と、タイミング発生部２４と、Ａ／Ｄ変換器２８に接続された画像処理回路３３と、メモリ制御回路２９と、画像表示メモリ３０と、Ｄ／Ａ変換器２５と、Ｄ／Ａ変換器２５に接続された画像表示部２６と、光学ファインダー２７と、メモリ３１と、圧縮・伸張回路３２と、システム制御回路５０とを備える。
【００６５】
Ａ／Ｄ変換器２８，タイミング発生部２４、画像処理回路３３、画像表示メモリ３０、及びＤ／Ａ変換器２５は、メモリ制御回路２９に夫々接続される。撮像素子２３、Ａ／Ｄ変換器２８及びＤ／Ａ変換器２５は、タイミング発生部２４に夫々接続されている。
【００６６】
デジタルカメラ本体１００は、また、シャッター２２に接続された露光制御部３４と、撮影レンズ２１に接続された測距制御部３５と、撮影レンズ２１に接続されたズーム制御部３６と、保護部２０に接続されたバリア制御部３７と、フラッシュ３８と、システム制御回路６０の動作用の定数や変数、プログラム等を記憶するメモリ４９と、システム制御回路６０の実行に応じて、文字や画像、音声等を用いて動作状態やメッセージ等を表示する液晶表示装置から成る表示部５０と、電気的に消去・記録可能であるＥＥＰＲＯＭ等の不揮発性メモリ５１と、ＲＳ２３２ＣやＵＳＢ、ＩＥＥＥ１３９４、Ｐ１２８３、ＳＣＳＩ、モデム、ＬＡＮ、無線通信等の各種通信機能を有する通信部５２とを備え、これらはシステム制御部６０に夫々接続されている。
【００６７】
デジタルカメラ本体１００は、また、領域指定レバー４１と、モードダイヤルスイッチ４２と、シャッタースイッチ４３，４４と、画像表示ＯＮ／ＯＦＦスイッチ４５と、クイックレビューＯＮ／ＯＦＦスイッチ４６と、操作部４７と、記録媒体着脱検知部４８とを備え、これらはシステム制御部６０に夫々接続されている。
【００６８】
デジタルカメラ本体１００は、さらに、メモリカードや機能カード等のカード２００とコネクタ５５，２０３を介して接続されるＩ／Ｆ（インターフェース）部５４と、電源３００にコネクタ４０，３０１を介して接続された電源部３９とを備える。
【００６９】
メモリ制御回路２９、メモリ３１、圧縮・伸張回路３２、システム制御回路６０、及びＩ／Ｆ部５４は、システムバスを介して互いに接続されている。
【００７０】
カード２００は、デジタルカメラ本体１００の不図示のスロットに挿入され、コネクタ５５，２０３を介してＩ／Ｆ部５４と接続されるＩ／Ｆ部２０２と、Ｉ／Ｆ部２０２に接続されていると共に、カード２００の機能を実現するし、半導体メモリや磁気ディスク等で構成される記録部２０１とを備える。
【００７１】
電源３００は、デジタルカメラ本体１００の不図示のスロットに挿入され、コネクタ４０，３０１を介して電源制御部３９に接続された電源部３０２を備える。
【００７２】
タイミング発生部２４は、撮像素子２３、 Ａ／Ｄ変換器２８、及び Ｄ／Ａ変換器２５にクロック信号や制御信号を供給し、メモリ制御回路２９及びシステム制御回路６０により制御される。
【００７３】
画像処理回路３３は、 Ａ／Ｄ変換器２８からのデータ又はメモリ制御回路２９からのデータに対して所定の画素補間処理や色変換処理を行う。また、画像処理回路３３においては、撮像した画像データを用いて所定の演算処理を行い、得られた演算結果に基づいて、システム制御回路６０が露光制御部３４及び測距制御部３５に対して制御を行い、ＴＴＬ（スルー・ザ・レンズ）方式のＡＦ（オートフォーカス）処理、ＡＥ（自動露出）処理、ＥＦ（フラッシュプリ発光）処理を行う。さらに、画像処理回路３３は、撮像した画像データを用いて所定の演算処理を行い、得られた演算結果に基づいてＴＴＬ方式のＡＷＢ（オートホワイトバランス）処理も行う。
【００７４】
メモリ制御回路２９は、Ａ／Ｄ変換器２８、タイミング発生部２４、画像処理回路３３、画像表示メモリ３０、Ｄ／Ａ変換器２５、メモリ３１、及び圧縮・伸長回路３２を制御する。Ａ／Ｄ変換器２８の画像情報が画像処理回路３３及びメモリ制御回路２９を介して、又は直接メモリ制御回路２９を介して画像表示メモリ３０又はメモリ３１に書き込まれる。
【００７５】
画像表示部２６は、ＴＦＴ ＬＣＤ等から成り、画像表示メモリ３０に書き込まれた表示用の画像情報をＤ／Ａ変換器２５を介して表示する。また、画像表示部２６は、システム制御回路６０の指示により表示をＯＮ/ＯＦＦすることが可能である。
【００７６】
メモリ３１は、撮影した静止画像情報や動画像情報を格納し、所定枚数分の静止画像情報や所定時間の動画像情報を格納するのに十分な記憶量を備えている。これにより、メモリ３１は、複数枚分の静止画像情報を連続して撮影する連写撮影やパノラマ撮影の場合にも、高速且つ大量に画像情報を格納することができる。また、メモリ３１、はシステム制御回路６０の作業領域としても使用することができる。
【００７７】
圧縮・伸長回路３２は、メモリ３１に格納された画像情報を読み込んで圧縮処理又は伸長処理を行い、処理を終えた画像情報をメモリ３１に書き込む。
【００７８】
露光制御部３４は、絞り機能を備えるシャッター２２を制御し、フラッシュ３８と連携することによりフラッシュ調光機能も有する。測距制御部３５は撮影レンズ２１のフォーカシングを制御し、ズーム制御部３６は撮影レンズ２１のズーミングを制御し、バリア制御部３７はバリアである保護部２０の動作を制御する。
【００７９】
フラッシュ３８は、ＡＦ補助光の投光機能、及びフラッシュ調光機能も有する。露光制御部３４及び測距制御部３５はＴＴＬ方式を用いて制御されており、撮像した画像情報を画像処理回路３３によって演算した演算結果に基づき、システム制御回路６０が露光制御部３４、測距制御部３５に対して制御を行う。
【００８０】
システム制御回路６０は、画像処理装置１００全体を制御する。メモリ４９はシステム制御回路６０の動作用の定数、変数、プログラム等を記憶し、表示部５０はシステム制御回路６０でのプログラムの実行に応じて、動作状態やメッセージ等を表示する液晶表示装置である。
【００８１】
表示部５０は、シングルショット／連写撮影表示、セルフタイマー表示、圧縮率表示、記録画素数表示、記録枚数表示、残撮影可能枚数表示、電池残量表示、記録媒体２００の着脱状態表示、通信I/F動作表示、日付・時刻表示等を表示する。
【００８２】
領域指定レバー４１、モードダイヤルスイッチ４２、シャッタースイッチ４３，４４、画像表示ＯＮ／ＯＦＦスイッチ４５、クイックレビューＯＮ／ＯＦＦスイッチ４６、及び操作部４７は、システム制御回路６０の各種の動作指示を入力するための操作手段であり、スイッチやダイヤル、タッチパネル、視線検知によるポインティング、音声認識装置等の単数又は複数の組み合わせで構成される。
【００８３】
モードダイヤルスイッチ４２は、電源オフ、自動撮影モード、撮影モード、パノラマ撮影モード、再生モード、スライドショー再生モード、マルチ画面再生・消去モード、保護設定モード、ＰＣ接続モード等の各機能モードを切り替え設定する。モードダイヤル４２により、再生モードに切り替えると、画像表示部２６は、後述する図4に示すように記録媒体に格納されている画像を３×３に格子状に配列されたサムネイル画像情報として表示し、再生画像情報の選択に供する。
【００８４】
シャッタースイッチ（ＳＷ１）４３は、シャッターボタン１の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００８５】
シャッタースイッチ（ＳＷ２）４４は、シャッターボタン１の操作完了でＯＮとなり、撮像素子２３から読み出した信号をＡ／Ｄ変換器２８、メモリ制御回路２９を介してメモリ３１に画像データを書き込む露光処理、画像処理回路３３やメモリ制御回路２９での演算を用いた現像処理、メモリ３１から画像データを読み出し、圧縮・伸長回路３２で圧縮を行い、記録媒体２００に画像データを書き込む記録処理という一連の処理の動作開始を指示する。
【００８６】
領域指定レバー４１は領域を指定する。例えば、画像情報をトリミングする際の領域を指定する。画像表示ＯＮ／ＯＦＦスイッチ４５は、画像表示部２６のＯＮ／ＯＦＦを設定する。クイックレビューＯＮ／ＯＦＦスイッチ４６は、撮影直後に撮影した画像情報を自動再生するクイックレビュー機能を設定する。
【００８７】
操作部４７は、メニューボタン、[ＳＥＴ]ボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等から成る。
【００８８】
電源制御部３９は、電池検出回路、ＤＣ-ＤＣコンバータ、通電するブロックを切り替えるスイッチ回路等により構成されており、電池の装着の有無、電池の種類、電池残量の検出を行い、検出結果及びシステム制御回路６０の指示に基づいてＤＣ-ＤＣコンバータを制御し、必要な電圧を必要な期間、記録媒体を含む各部へ供給する。
【００８９】
電源部３０２はアルカリ電池やリチウム電池等の一次電池やＮｉＣｄ電池やＮｉＭＨ電池、Ｌｉ電池等の二次電池、ＡＣアダプター等からなり、コネクタ４０とコネクタ３０１を介して、電源制御部３９と接続する。
【００９０】
Ｉ／Ｆ（インターフェース）部５４は、メモリカードやハードディスク等の記録媒体と接続し、コネクタ５５はメモリカードやハードディスク等の記録媒体と接続し、記録媒体着脱検知手段４８は、コネクタ５５に記録媒体２００が装着されているか否かを検知する。
【００９１】
保護手段２０は、デジタルカメラ本体１００のレンズ２１を含む撮像部を覆うことにより、撮像部の汚れや破損を防止するバリアである。
【００９２】
光学ファインダー２７は、画像表示部２６による電子ファインダー機能を使用することなしに、光学ファインダーのみを用いて撮影を行うことができる。また、光学ファインダー２７内には、表示部５０の一部の機能、例えば、合焦表示、手振れ警告表示、フラッシュ充電表示、シャッタースピード表示、絞り値表示、露出補正表示等が設置されている。
【００９３】
コネクタ（無線通信の場合はアンテナ）５３は、通信部５２によりデジタルカメラ本体１００を他の機器と接続する。記録媒体２００はメモリカードやハードディスク等である。
【００９４】
図４は、図２における画像表示部２６の再生モード時における表示内容を説明するのに用いられる図である。
【００９５】
図４において、モードダイヤル４２によって再生モードに切り替えられると、画像表示部２６は、３×３に格子状に配列されたサムネイル画像情報（インデックス用の小さい画像）を表示する。このとき、サムネイル画像中の動画像情報には、動画像情報を示すアイコン４０１を付して、ユーザーに識別し易くするのが好ましい。
【００９６】
また、操作部４７に設けられた[+]ボタン、[-]ボタンを使用して、選択枠４０２を移動し、再生すべき画像情報を設定し、この状態で、[ＳＥＴ]ボタンを押して決定することにより再生画像情報を選択する。
【００９７】
図５は、図１のデジタルカメラによって実行される動画の再生処理の手順を示すフローチャートである。
【００９８】
図５において、まず、選択された再生画像情報が動画像であるか否かを判別し（ステップＳ１０１）、動画像でなく、静止画像であるときは、静止画像情報を画像表示部２６に再生表示して（ステップＳ１０２）、本処理を終了する。
【００９９】
ステップＳ１０１の判別の結果、動画像であるときは、動画像情報の記録時間を判別し（ステップＳ１０３）、この判別された動画像情報の記録時間に応じて、例えば後述する図６（ａ）に示すように、再生回数Ｎを決定し（ステップＳ１０４）、次いで、動画像情報を決定された再生回数Ｎ分再生して（ステップＳ１０５〜Ｓ１０７）、本処理を終了する。図７に示すように、動画再生時に残りの再生回数を示す表示５０１を表示する構成としてもよい。
【０１００】
図６（ａ）において、例えば動画像情報の記録時間ＴがＴ≦１０秒の場合Ｎ＝３回、１０秒＜Ｔ≦３０秒の場合Ｎ=２回、Ｔ＞３０秒の場合Ｎ=１回といった記録時間に対応する再生回数Ｎを予め設定しておく。記録時間に対応する再生回数Ｎの初期値は、記録時間が短い程見逃してしまう可能性が高く、繰り返し見たい場合が多いので、再生回数が多くなるように設定する構成にするほうが好ましい。
【０１０１】
また、記録時間に対応する再生回数Ｎは、製品の出荷時の初期値を、ユーザーの好みに対応できるようにするため、ユーザー自身が変更可能な構成とすることが好ましい。
【０１０２】
本実施の形態においては、動画像情報の記録時間に応じて再生回数を決定したが、繰り返し見たい画像情報は高解像度で撮影している可能性が高いので、図６（ｂ）に示すように、動画像情報の画面解像度に応じて再生回数Ｎを設定する構成にしてもよく、さらに、最近撮影した動画像情報はあまり見慣れておらず繰り返し見たい可能性が高いので、図６（ｃ）に示すように、動画像情報の撮影日時に応じて再生回数を設定する構成としてもよい。
【０１０３】
このように、動画再生の制御動作は、動画像情報の再生処理が指示されると動画像情報の記録時間や画面解像度、撮影日時に応じて自動的に再生回数を設定し、表示装置に設定回数分繰り返し再生されるので、繰り返し見たいことが多い記録時間の短い動画像情報を見る場合に、手動で繰り返し再生を設定するわずらわしさがない。
【０１０４】
スライドショー再生モードへの切り替えは、モードダイヤル４２においてスライドショー再生モードに切り替えることにより行われる。
【０１０５】
図８は、図１のデジタルカメラによって実行されるスライドショーの再生処理の手順を示すフローチャートである。
【０１０６】
図８において、まず、変数ｎに初期値１を設定し（ステップＳ２０１）、次いで、記録日時が古い方から第ｎ番目の画像情報を記録媒体から読み出し、第ｎ番目の画像情報が記録媒体に記録されているか否かを判別し（ステップＳ２０２）、記録されていなければ、直ちに本処理を終了する。
【０１０７】
ステップＳ２０２の判別の結果、画像情報の記録があれば、画像情報が静止画像であるか否かを判別し（ステップＳ２０３）、静止画像であるときは、表示部５０に表示する画像情報の状態情報を判別し（ステップＳ２０５）、判別した結果に基づいて再生時間ｔを決定し（ステップＳ２０６）、次いで、決定された再生時間ｔに基づいて静止画像情報を画像表示部２６にｔ秒間表示して（ステップＳ２０７）、変数ｎを１だけインクリメントしてステップＳ２０２に戻る。
【０１０８】
ステップＳ２０３の判別の結果、画像情報が静止画像ではなく、動画像のときは、動画像情報を再生して（ステップＳ２０４）、本処理を終了する。
【０１０９】
ステップＳ２０６においては、図９（ａ） に示すように、レンズのワイド側で撮影された画像情報は、集合写真等のようにじっくり見たい可能性が高いので再生時間ｔを長く設定する。
【０１１０】
また、図９（ｂ）に示すように、ユーザーは後でじっくり見たい画像情報は高解像度で撮影する可能性が高く、流して見たい画像情報は低解像度で撮影する可能性が高いので、高解像度画像情報は再生時間ｔを長く、低解像度画像情報は再生時間ｔを短く設定する。
【０１１１】
図９（ｃ）に示すように、最近撮影した画像情報はあまり見慣れてないため、じっくり見たい場合が多いので、再生時間ｔを長く設定する構成にしてもよい。
【０１１２】
さらには、画像の輝度分布の変化量が大きい場合（画像の中で明暗の変化が大きい場合）、複雑な画像情報である可能性が高く、じっくり見たい場合が多いので再生時間tを長く設定し、逆に、画像の輝度分布の変化量が小さい場合、単調な画像情報である可能性が高く、流してみたい場合が多いので、再生時間ｔを短く設定してもよい。また、画像情報の情報量が大きい場合、複雑な画像情報である可能性が高く、じっくり見たい場合が多いので再生時間ｔを長く設定し、逆に、画像情報の情報量が小さい場合、単調な画像情報である可能性が高く、流してみたい場合が多いので、再生時間ｔを短く設定してもよい。
【０１１３】
本実施の形態では、スライドショー再生において、各画像情報のヘッダ情報エリアの中に記録されている状態情報を判別し、画角、解像度、撮影日時等の状態情報に応じてスライドショーの再生時間を決定するので、ユーザーが流して見たいと思われる画像やじっくり見たいと思われる画像を最適な時間で再生することができる。
【０１１４】
また、本発明の目的は、上記実施形態の機能を実現するソフトウェアのプログラムコードを記録した記憶媒体（又は記録媒体）を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【０１１５】
この場合、記憶媒体から読み出されたプログラムコード自体が前述した実施形態の機能を実現することになり、そのプログラムコードを記憶した記憶媒体は本発明を構成することになる。
【０１１６】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)等が実際の処理の一部又は全部を行い、その処理によって前述した実施形態の機能が実現される場合も含まれることは言うまでもない。
【０１１７】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵ等が実際の処理の一部又は全部を行い、その処理によって前述した実施形態の機能が実現される場合も含まれることは言うまでもない。
【０１１８】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【０１１９】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【０１２０】
【図１】本発明の実施の形態に係る画像再生装置の正面側から見た斜視図である。
【図２】図1のデジタルカメラの背面側から見た斜視図である。
【図３】図１のデジタルカメラの内部構成を概略的に示すブロック図である。
【図４】図２における画像表示部２６の再生モード時における表示内容を説明するのに用いられる図である。
【図５】図１のデジタルカメラによって実行される動画像情報の再生処理の手順を示すフローチャートである。
【図６】図５のステップＳ１０４における動画像情報の再生回数Ｎの決定方法を説明するのに用いられる図であり、（ａ）は、記録時間に基づく場合、（ｂ）は、画面解像度に基づく場合、（ｃ）は、撮影日時に基づく場合を夫々示す。
【図７】動画再生時の表示を説明するための図である。
【図８】図１のデジタルカメラによって実行されるスライドショーの再生処理の手順を示すフローチャートである。
【図９】図８のステップＳ２０６における動画の再生時間ｔの決定方法を説明するのに用いられる図であり、（ａ）は、撮影画像情報に基づく場合、（ｂ）は、画面解像度に基づく場合、（ｃ）は、撮影日時に基づく場合を夫々示す。
【符号の説明】
【０１２１】
１  シャッターボタン
２１  撮影レンズ
２２  シャッター
２７  光学ファインダ
３３  画像処理回路
３４  露光制御部
３８  フラッシュ
４４  シャッタースイッチ
５０  表示部
５４  Ｉ／Ｆ部
２０1  記録部
【図１】
2006074476.tif 000003
【図２】
2006074476.tif 000004
【図３】
2006074476.tif 000005
【図４】
2006074476.tif 000006
【図５】
2006074476.tif 000007
【図６】
2006074476.tif 000008
【図７】
2006074476.tif 000009
【図８】
2006074476.tif 000010
【図９】
2006074476.tif 000011